(57)【特許請求の範囲】
【請求項１】
複数ビットで構成される多値画像データまたは単数ビットで構成される２値画像データを，画像メモリに格納すると共に，前記画像メモリから読み出して出力する画像データ記憶装置において，
前記画像メモリに一定値のデータを書き込むためのクリアデータを保持するクリアデータレジスタと，
前記多値画像データまたは２値画像データと同一ビット幅のデータからなるデータをクリアデータとして前記クリアデータレジスタに設定する設定手段と，
前記画像メモリに書き込むデータとして，前記多値画像データまたは２値画像データと前記クリアデータレジスタに保持されているクリアデータのどちらかを選択する書き込みデータ選択手段と，
複数枚の原稿に相当する複数の画像データを１枚に出力すべく前記画像メモリに書き込む際に，前記複数枚の原稿の出力画像間の境界線を挿入する領域を認識する認識手段と，を備え，
前記設定手段は前記境界線を挿入する際に前記クリアデータレジスタに非白画像に相当するデータをクリアデータとして設定し，
前記書き込みデータ選択手段は，前記クリアデータレジスタに設定されたクリアデータを書き込みデータとして選択し，前記認識手段が認識した領域に境界線を挿入することを特徴とする画像データ記憶装置。
【請求項２】
請求項１記載の画像データ記憶装置において，外部より前記クリアデータを前記クリアデータレジスタに設定する外部設定手段を備え，前記書き込みデータ選択手段は，前記画像メモリのメモリクリア実行時に，前記外部より設定されたクリアデータを用いてメモリクリアを行うことを特徴とする画像データ記憶装置。
【発明の詳細な説明】
【０００１】
【発明の属する技術分野】
本発明は，デジタル複写機，スキャン，プリンタ，ファクシミリ装置等の画像処理装置等の画像情報のデジタル処理を行う機器に適用される画像データ記憶装置に関し，より詳細には，複数ビットで構成される多値画像データまたは単数ビットで構成される２値画像データを画像メモリに格納すると共に，該画像メモリから読み出して出力する画像データ記憶装置に関する。
【０００２】
【従来の技術】
近年，複写機のデジタル化が進むと共に，画像メモリを応用した加工・編集が盛んになっている。例えば，画像メモリの読み出し時のアドレス操作によって画像回転やイメージリピート等を行う機能を有したものや，画像メモリの書き込み時のアドレス操作によって複数枚の原稿を１枚の転写紙にコピーする集約（ｉｎｔｏ１）等を行う機能を有したものがある。このような機能を実現するために，メモリ機能を有するデジタル複写機では，少なくとも原稿１枚分に相当するフレームメモリを持っているのが一般的である。
【０００３】
ところで，デジタル複写機等においては，画像データを画像メモリに記憶し，画像メモリの記憶領域を指定することで，画像の切り出し・嵌め込み・集約等の画像編集が一般的に行われている。
【０００４】
このとき，メモリ領域内の不要部分が白画像となるように，メモリクリアという動作を実行している。このメモリクリアは，画像メモリの内容をプリントアウト等によって出力し，目に見える画像とした場合に，不正画像が出力されないように，画像データを画像メモリに取り込む前にメモリ全領域に対して行われる。具体的には，このメモリクリアの動作は，画像メモリに白画像に相当するデータ（クリアデータ）を書き込みことで実行されている。
【０００５】
また，集約・イメージリピート等の機能のように，境界線（仕切り線）を作成することがある。境界線は複数枚の原稿を１枚の転写紙にコピー出力した場合に，複数枚の原稿の境界に実線を挿入するものである。具体的には，画像出力時に画像データに画像の所定領域に黒データをオーバーライトすることで行われている。
【０００６】
【発明が解決しようとする課題】
しかしながら，上記従来の技術によれば，メモリクリアおよび境界線の挿入を行うために，メモリ記憶時に画像データを白マクスする白マスク回路と，画像の出力部に領域を判別して画像データを黒マスクする黒マスク回路との両方の回路がそれぞれ必要であるため，回路構成が複雑となり，コスト高になるという問題点があった。
【０００７】
本発明は上記に鑑みてなされたものであって，簡単かつ安価な構成で，メモリクリアおよび境界線の挿入を行える画像データ記憶装置を提供することを目的とする。
【０００８】
【課題を解決するための手段】
上記の目的を達成するために，請求項１に係る画像データ記憶装置は，複数ビットで構成される多値画像データまたは単数ビットで構成される２値画像データを，画像メモリに格納すると共に，前記画像メモリから読み出して出力する画像データ記憶装置において，前記画像メモリに一定値のデータを書き込むためのクリアデータを保持するクリアデータレジスタと，前記多値画像データまたは２値画像データと同一ビット幅のデータからなるデータをクリアデータとして前記クリアデータレジスタに設定する設定手段と，前記画像メモリに書き込むデータとして，前記多値画像データまたは２値画像データと前記クリアデータレジスタに保持されているクリアデータのどちらかを選択する書き込みデータ選択手段と，複数枚の原稿に相当する複数の画像データを１枚に出力すべく前記画像メモリに書き込む際に，前記複数枚の原稿の出力画像間の境界線を挿入する領域を認識する認識手段と，を備え，前記設定手段は前記境界線を挿入する際に前記クリアデータレジスタに非白画像に相当するデータをクリアデータとして設定し，前記書き込みデータ選択手段は，前記クリアデータレジスタに設定されたクリアデータを書き込みデータとして選択し，前記認識手段が認識した領域に境界線を挿入するものである。
【０００９】
すなわち，メモリクリアを行う場合，クリアデータレジスタが画像メモリに一定値のデータを書き込むためのクリアデータを保持し，設定手段が多値画像データまたは２値画像データと同一ビット幅のデータからなるデータをクリアデータとしてクリアデータレジスタに設定し，書き込みデータ選択手段が画像メモリに書き込むデータとして，多値画像データまたは２値画像データとクリアデータレジスタに保持されているクリアデータのどちらかを選択し，認識手段が複数枚の原稿に相当する複数の画像データを１枚に出力すべく画像メモリに書き込む際に，複数枚の原稿の出力画像間の境界線を挿入する領域を認識する。そして，設定手段は複数原稿の１枚での出力における境界線を挿入する際に，クリアデータレジスタに非白画像に相当するデータをクリアデータとして設定し，書き込みデータ選択手段は，クリアデータレジスタに設定されたクリアデータを書き込みデータとして選択して認識手段が認識した領域に，境界線を挿入する。この構成によって，画像出力する際に，書き込みデータ選択手段が画像データを選択して画像メモリに格納し，メモリクリアの際には設定手段によってクリアデータレジスタに設定された白画像相当の一定値で行い，それとともに，複数枚の原稿を１枚で画像出力する際には，認識手段が複数枚の原稿の出力画像間の境界線を挿入すべき領域を認識して設定手段が境界線となる非白画像相当のデータをクリアデータとして設定し，書き込みデータ選択手段が該非白画像相当のデータを選択して上記認識された画像メモリ上の領域に挿入することによって，画像メモリのメモリクリア動作を白相当の画像データで実行すると共に，画像メモリ上に複数原稿間の非白に相当する画像値の境界線を挿入することができるので，従来の白マスク回路および黒マスク回路の両方を備えた装置と比較して簡易な構成によって，メモリクリアおよび境界線の挿入を行うことができる。
【００１２】
また，請求項２に係る画像データ記憶装置は，請求項１記載の画像データ記憶装置において，外部より前記クリアデータを前記クリアデータレジスタに設定する外部設定手段を備え，前記書き込みデータ選択手段は，前記画像メモリのメモリクリア実行時に，前記外部より設定されたクリアデータを用いてメモリクリアを行うものである。
【００１３】
すなわち，外部設定手段で，外部よりクリアデータをクリアデータレジスタに設定し，書き込みデータ選択手段が，外部より設定されたクリアデータを用いてメモリクリアを行うことにより，外部から所望のクリアデータを用いてメモリクリアを行うものである。
【００１４】
【発明の実施の形態】
以下，本発明の画像データ記憶装置の一実施例について，図面を参照して詳細に説明する。
【００１５】
図１は，本発明の画像データ記憶装置をデジタル複写機に適用した場合の概略構成図を示し，図２は，原稿台を上方から見た図である。
【００１６】
先ず，図に基づいて，デジタル複写機の読取部１００の読み取りプロセスおよび像形成部２００の像形成プロセスについて簡単に説明する。
【００１７】
読取部１００は，原稿１０１を原稿台１０２に沿って可能な露光ランプ１０３によってスキャン露光を行い，その反射光をＣＣＤ（イメージセンサー）１０４によって光電変換し，光の強弱に応じた画像データ（アナログ信号）として入力する。ＩＰＵ（イメージプロセッシングユニット）１０５は，ＣＣＤ１０４から画像データを入力し，シェーディング補正処理・Ａ／Ｄ変換（アナログ／デジタル変換）処理等を施して，８ビットのデジタル信号とし，さらに変倍処理・ディザ処理等の画像処理を行って，画像同期信号と共に画像データを像形成部２００へ出力する。
【００１８】
なお，スキャナ制御部１０６は，上記のプロセスを実行するために，各種センサーの検知状態を入力し，各駆動部等の駆動制御を行うと共に，ＩＰＵ１０５に各種パラメータの設定を行う。
【００１９】
像形成部２００では，帯電チャージャ２０１によって一様に帯電された一定回転する感光体２０２を，書込部２０３からの画像データによって変調されたレーザー光２０４によって露光する。露光によって感光体２０２上に静電潜像が形成され，該静電潜像を現像装置２０５でトナー現像することにより，顕像化したトナー像を得る。
【００２０】
次に，あらかじめ給紙コロ２０６によって給紙トレイ２０７から給紙搬送され，レジストローラ２０８の一で待機していた転写紙を，感光体２０２の回転タイミングと同期させて搬送し，転写チャージャ２０９によって感光体２０２上のトナー像を転写紙に静電転写し，分離チャージャ２１０によって転写紙を感光体２０２から分離する。
【００２１】
その後，転写紙上のトナー像を定着装置２１１により加熱定着し，排紙ローラ２１２により排紙トレイ２１３に排紙する。
【００２２】
一方，静電転写後の感光体２０２に残留したトナー像がクリーニング装置２１４によって除去され，さらに帯電チャージャ２１５によって感光体２０２上の残留電荷が除電される。
【００２３】
なお，プロッタ制御部２１６は，上記のプロセスを実行するために，各種センサーの検知状態を入力し，各駆動部等の駆動制御を行う。
【００２４】
次に，図３のタイミングチャートを参照して，読取部１００のＩＰＵ１０５から出力される画像データおよび画像同期信号について説明する。フレームゲート信号（／ＦＧＡＴＥ）は副走査方向の画像エリアに対しての画像有効範囲を表す信号であり，この信号がローレベル（ローアクティブ）の間の画像データが有効となる。また，このフレームゲート信号（／ＦＧＡＴＥ）は，ライン同期信号（／ＬＳＹＮＣ）の立ち下がりエッジでアサート（あるいはネゲート）される。
【００２５】
ライン同期信号（／ＬＳＹＮＣ）は，画素同期信号（ＰＣＬＫ）の立ち上がりエッジで所定クロック数だけアサートされ，この信号の立ち上がり後，所定クロック後に主走査方向の画像データが有効となる。
【００２６】
送られてくる画像データは，画素同期信号（ＰＣＬＫ）の１周期に対して１つであり，図２の矢印Ａ部分より４００ｄｐｉ相当に分割されたものである。また，画像データは，図２の矢印Ａ部分を先頭にラスタ形式のデータとして送出される。さらに，画像データの副走査有効範囲は，通常，転写紙サイズによって決まる。
【００２７】
続いて，図１を参照して，操作部３００，システム制御部４００，ＦＡＸ部５００，セレクタ部６００および記憶部７００について説明する。
【００２８】
操作部３００は，デジタル複写機に対する各種オペレーションを行うためのものであり，図示を省略するが，複写モードの設定および各種パラメータの入力を行うためのキー入力部と，装置の動作状態および各種メッセージを表示するための表示部とを有している。なお，本実施例では，この操作部３００を本発明の外部設定手段として用いる。
【００２９】
システム制御部４００は，オペレータによる操作部３００への入力状態を検知し，読取部１００，像形成部２００，ＦＡＸ部５００および記憶部７００への各種パラメータの設定や，プロセス実行の指示等を通信にて行う。またシステム全体の状態を操作部３００を介して表示する。なお，システム制御部４００への指示はオペレータの操作部３００へのキー入力によって行われる。
【００３０】
ＦＡＸ部５００は，システム制御部４００からの指示により，読取部１００から送られてきた画像データに対して，Ｇ３・Ｇ４ＦＡＸのデータ転送規定に基づいて２値圧縮処理を行い，電話回線へ転送する。また，電話回線を介してＦＡＸ部５００に転送されてきた画像データに対して，復元（伸長処理）を行って２値の画像データとし，像形成部２００の書込部２０３へ転送する。
【００３１】
セレクタ部６００は，システム制御部４００からの指示により，セレクタの状態を変化させ，像形成を行う画像データのソースとして読取部１００，記憶部７００，ＦＡＸ部５００の何れかを選択する。
【００３２】
記憶部７００は，本発明の画像データ記憶装置に相当し，通常は，ＩＰＵ１０５から入力した画像データを記憶することで，リピートコピー，回転コピー等の複写アプリケーションに使用される。また，ＦＡＸ部５００からの２値の画像データを一時記憶するバッファメモリとしても使用される。これらデータ記憶の指示は，システム制御部４００によってなされる。
【００３３】
次に，図４および図５を参照して，本実施例の画像データ記憶装置である記憶部７００の構成について説明する。なお，図４は記憶部７００のブロック構成図を示し，図５は記憶部７００のメモリ制御部７０３のブロック構成図を示す。
【００３４】
記憶部７００は，大別して，画像データの入出力インターフェースとしての画像入出力部７０１と，画像データと記憶するフレームメモリ７０２と，フレームメモリ７０２に対する画像データの書き込み／読み出し制御を行うメモリ制御部７０３とから構成される。
【００３５】
画像入出力部７０１は，ＣＰＵおよびロジック（何れも図示せず）で構成され，メモリ制御部７０３と通信を行ってコマンドを受信し，そのコマンドに応じた動作設定を行って，画像データの入出力を行うと共に，画像入出力部７０１の状態を知らせるためのステータス情報をメモリ制御部７０３へ送信する。例えば，画像入力のコマンドを受けた場合，入力画像データを入力画像同期信号に従って，８画素単位のメモリデータとしてメモリ制御部７０３へメモリアクセス信号と共に随時出力する。また，画像出力のコマンドを受けた場合，メモリ制御部７０３からの画像データを出力画像同期信号に同期させて出力する。さらに，メモリクリア時には，メモリ制御部７０３からの動作コマンドを受けて，入出力メモリアクセス信号のみをメモリ制御部７０３に出力する。
【００３６】
フレームメモリ７０２は，画像データを記憶するメモリであり，ＤＲＡＭ等の半導体記憶素子で構成され，メモリ制御部７０３によって読み出し，書き込みの制御が行われる。なお，本実施例では，フレームメモリ７０２のメモリ量の合計を３２Ｍバイトとする。
【００３７】
メモリ制御部７０３は，ＣＰＵおよびロジックで構成され，システム制御部４００と通信を行ってコマンドを受信し，そのコマンドに応じた動作設定を行い，またシステム制御部４００へ記憶部７００の状態を知らせるためのステータス情報を送信する。なお，メモリ制御部７０３がシステム制御部４００から受信する動作コマンドには，画像入力，画像出力，圧縮，伸長等がある。
【００３８】
ここで，図５を参照して，メモリ制御部７０３の構成について詳細に説明する。メモリ制御部７０３は，図示の如く，入出力メモリアクセス信号に応じてフレームメモリ制御信号を出力するメモリアクセス制御部７０３ａと，入出力メモリアクセス信号に応じてカウントアップするアドレスカウンタであり，入力画像データを格納する格納場所を示す２５ビット（３２Ｍ空間）のメモリアドレスを出力する入出力画像アドレスカウンタ７０３ｂと，ＣＰＵ・ＳＣＩ（シリアル通信Ｉ／Ｆ）・入出力ポート等の機能を持ったＭＰＵ（マイクロプロセッシングユニット）７０３ｃと，ＭＰＵ７０３ｃによってデータの方向が設定されるスリーステートの双方向バッファ７０３ｄ，７０３ｇと，ＭＰＵ７０３ｃからフレームメモリへのクリアデータを入力して保持するクリアデータレジスタ７０３ｅと，フレームメモリ７０２へ書き込むデータ（フレームメモリデータ）として，画像入出力部７０１からのデータまたはクリアデータレジスタ７０３ｅのデータの何れかを選択するためのライトデータセレクタ７０３ｆとから構成される。
【００３９】
なお，ＭＰＵ７０３ｃは，８ビットのＣＰＵバスを介して，フレームメモリ７０２へのライト（書き込み）あるいはリード（読み出し）先頭アドレスを示すパラメータを入力画像アドレスカウンタ７０３ｂに設定すると共に，クリアデータレジスタ７０３ｅにクリアデータを設定する。
【００４０】
以上の構成において，記憶部７００の動作を説明する。記憶部７００は，システム制御部４００からの指示により，通常動作時は入力された入力画像データをフレームメモリ７０２に記憶する。すなわち，ＭＰＵ７０３ｃは，システム制御部４００から通常の書き込み動作の指示を受信すると，８ビットのＣＰＵバスを介して，フレームメモリ７０２へのライト（書き込み）先頭アドレスを示すパラメータを入力画像アドレスカウンタ７０３ｂに設定し，ライトデータセレクタ７０３ｆの入力を双方向バッファ７０３ｄに切り替えて，画像入出力部７０１から入力した入力画像データを双方向バッファ７０３ｄ，ライトデータセレクタ７０３ｆ，双方向バッファ７０３ｇを介してフレームメモリ７０２へ書き込む。
【００４１】
本発明のメモリクリア動作時は，ＭＰＵ７０３ｃは，システム制御部４００から通常の書き込み動作の指示を受信すると，８ビットのＣＰＵバスを介して，フレームメモリ７０２へのライト（書き込み）先頭アドレスを示すパラメータを入力画像アドレスカウンタ７０３ｂに設定し，入力画像データ（多値画像データまたは２値画像データ）と同一ビット幅のデータからなるデータをクリアデータとしてクリアデータレジスタ７０３ｅに設定し，ライトデータセレクタ７０３ｆの入力をクリアデータレジスタ７０３ｅに切り替えて，クリアデータレジスタ７０３ｅに設定されているクリアデータをライトデータセレクタ７０３ｆ，双方向バッファ７０３ｇを介してフレームメモリ７０２へ書き込む。これによって，クリアデータレジスタ７０３ｅに設定されている一定値のデータ（クリアデータ）がフレームメモリ７０２にライトされることによる。換言すれば，一定値の階調でフレームメモリ７０２に書き込みが可能となる。
【００４２】
また，フレームメモリ７０２上の画像データに境界線を挿入する場合，例えば，複数枚の原稿を１枚の転写紙にコピー出力する際の複数枚の原稿に相当する画像データの境界に実線を挿入する場合，ＭＰＵ７０３ｃの制御によって，ＣＰＵバスを介して実線を挿入する領域（ライト領域）を示すパラメータを入力画像アドレスカウンタ７０３ｂに設定し，クリアデータとして黒データをクリアデータレジスタ７０３ｅに設定し，ライトデータセレクタ７０３ｆの入力をクリアデータレジスタ７０３ｅに切り替えて，クリアデータレジスタ７０３ｅに設定されている黒データをライトデータセレクタ７０３ｆ，双方向バッファ７０３ｇを介してフレームメモリ７０２上の実線を挿入する領域（ライト領域）へ書き込む。これによって，フレームメモリ７０２上の画像データに境界線を挿入することができる。
【００４３】
図６は，４枚の原稿の集約時のコピー出力の一例を示し，十字に境界線が出力されている。境界線は縦横に２箇所の領域を設定して，その領域に黒データを書き込むことで容易に実現できる。
【００４４】
また，本実施例において，操作部２００を介して，オペレータが２５６階調中の任意の所望の値をクリアデータとして設定することが可能であり，オペレータがコピー使用前に，あらかじめ所望のクリアデータを設定した場合，操作部２００からシステム制御部４００にクリアデータの変更が通知され，続いて，システム制御部４００から記憶部７００にクリアデータの変更が通知される。
【００４５】
記憶部７００に通知された新しいクリアデータ（オペレータの設定値）は，メモリ制御部７０３のＭＰＵ７０３ｃに入力され，ＭＰＵ７０３ｃによってクリアデータレジスタ７０３ｅにクリアデータとして設定され，メモリクリア動作に使用される。なお，メモリクリア動作は，コピー動作終了毎，またはクリアデータ値が変更された直後に自動的に実行される。
【００４６】
このようにオペレータが所望のクリアデータを設定すると，該クリアデータによってフレームメモリ７０２がクリアされる。換言すれば，転写紙に出力した場合の背景（白画像に相当する部分）を所望の階調に変更することができる。図７は，中間調となるデータ（例えば，８０ｈｅｘ）をクリアデータとして設定した場合のコピー出力の一例を示したものである。
【００４７】
本実施例によれば，記憶部７００において，フレームメモリ７０２のメモリクリア動作を実行すると共に，フレームメモリ７０２に境界線の挿入（黒データの書き込み）動作を実行可能であるので，従来の白マスク回路および黒マスク回路の両方を備えた装置と比較して簡単な構成となる。
【００４８】
また，従来，メモリクリアを白画像に相当するデータでのみ行っていたが，ＭＰＵ７０３ｃが設定した一定値（クリアデータ）を用いてメモリクリアを行えるので，利便性が向上する。
【００４９】
また，外部よりクリアデータを設定できるので，オペレータが任意の所望の階調データを設定し，自由に画像の背景を変更することができる。
【００５０】
【発明の効果】
以上説明したように，本発明の画像データ記憶装置（請求項１）は，メモリクリアを行う場合，設定手段がクリアデータレジスタに白画像に相当するデータをクリアデータとして設定し，書き込みデータ選択手段が，クリアデータレジスタに保持されているクリアデータを選択して画像メモリに白画像相当の一定値のデータ（クリアデータ）を書き込み，また，境界線の挿入を行う場合，設定手段がクリアデータレジスタに一般に非白画像に相当するデータをクリアデータとして設定し，書き込みデータ選択手段が，クリアデータレジスタに保持されているクリアデータを選択して画像メモリに白画像相当の一定値のデータ（クリアデータ）を書き込み，複数枚の原稿に相当する複数の画像データを１枚に出力する場合，認識手段が複数枚の原稿の出力画像間の境界線を挿入する領域を認識する。そして，設定手段は複数原稿を１枚で出力するための境界線を挿入する際に，クリアデータレジスタに非白画像に相当するデータを設定し，書き込みデータ選択手段は，クリアデータレジスタに設定された非白画像相当のクリアデータを書き込みデータとして選択するので，認識手段が認識した領域に，一般に黒である非白相当の境界線を挿入する。この構成によって，画像出力する際に，書き込みデータ選択手段が画像データを選択して画像メモリに格納し，メモリクリアの際には設定手段によってクリアデータレジスタに設定された白画像相当の一定値で行い，それとともに，複数枚の原稿を１枚で画像出力する際には，認識手段が複数枚の原稿の出力画像間の境界線を挿入すべき領域を認識して設定手段が境界線となる非白画像相当のデータをクリアデータとして設定し，書き込みデータ選択手段が該非白画像相当のデータを選択して上記認識された画像メモリ上の領域に挿入することによって，画像メモリのメモリクリア動作を白相当の画像データで実行すると共に，画像メモリ上に複数原稿間の非白に相当する画像値の境界線を挿入することができるので，従来の白マスク回路および黒マスク回路の両方を備えた装置と比較して簡易な構成によって，メモリクリアおよび境界線の挿入を行うことができる画像データ記憶装置を提供できるという効果を奏する。
【００５２】
また，本発明の画像データ記憶装置（請求項２）は，外部設定手段で，外部よりクリアデータをクリアデータレジスタに設定し，書き込みデータ選択手段が，外部より設定されたクリアデータを用いてメモリクリアを行うことにより，外部から所望のクリアデータを用いてメモリクリアを行うため，画像データの背景となる階調をオペレータが自由に設定することができる。また，簡単な構成で高機能な画像データ記憶装置を提供することができる。
【図面の簡単な説明】
【図１】本発明の画像データ記憶装置をデジタル複写機に適用した場合の概略構成図である。
【図２】原稿台を上方から見た状態を示す説明図である。
【図３】読取部のＩＰＵから出力される画像データおよび画像同期信号を示すタイミングチャートである。
【図４】本実施例の記憶部（画像データ記憶装置）のブロック構成図である。
【図５】本実施例の記憶部のメモリ制御部のブロック構成図である。
【図６】境界線の挿入例（４枚の原稿の集約時のコピー出力の一例）を示す説明図である。
【図７】中間調となるデータ（例えば，８０ｈｅｘ）をクリアデータとして設定した場合のコピー出力の一例を示す説明図である。
【符号の説明】
１００    読取部
２００    像形成部
３００    操作部
４００    システム制御部
５００    ＦＡＸ部
６００    セレクタ部
７００    記憶部
７０１    画像入出力部
７０２    フレームメモリ
７０３    メモリ制御部
７０３ａ    メモリアクセス制御部
７０３ｂ    入出力画像アドレスカウンタ
７０３ｃ    ＭＰＵ
７０３ｄ，７０３ｇ    双方向バッファ
７０３ｅ    クリアデータレジスタ
７０３ｆ    ライトデータセレクタ
【図１】
0003638168.tif 000002
【図２】
0003638168.tif 000003
【図３】
0003638168.tif 000004
【図４】
0003638168.tif 000005
【図５】
0003638168.tif 000006
【図６】
0003638168.tif 000007
【図７】
0003638168.tif 000008